(57)【要約】【課題】薬剤の在庫廃棄を抑制することができる薬剤の管理システムを提供する。【解決手段】薬局用端末１１は、複数の調剤薬局２０毎に設けられ、電子処方箋を受信する。サーバ装置１５は、薬局用端末１１と通信可能である。サーバ装置１５は、複数の調剤薬局２０毎に薬剤の在庫情報を管理する。サーバ装置１５は、電子処方箋を受信した薬局用端末１１に対応する調剤薬局２０に、電子処方箋が示す薬剤がない場合、電子処方箋が入力された薬局用端末１１に対応しない他の調剤薬局２０の在庫情報に基づいて、電子処方箋が示す薬剤の在庫がある他の調剤薬局２０を検索し、検索した他の調剤薬局２０に電子処方箋が示す薬剤を発注する。【選択図】図１
2022002048.tif 000002
【特許請求の範囲】
【請求項１】
複数の薬局毎に紐付けられ、処方箋情報が入力される第１端末と、
前記第１端末と通信可能なサーバ装置と、を備えた
薬剤の管理システムであって、
前記サーバ装置は、
複数の前記薬局毎に薬剤の在庫情報を管理する管理部と、
前記処方箋情報が入力された前記第１端末に紐づけられた前記薬局に、前記処方箋情報が示す前記薬剤がない場合、他の前記薬局の前記在庫情報に基づいて、前記処方箋情報が示す前記薬剤の在庫がある他の前記薬局を検索する検索部と、を有する、
薬剤の管理システム。
【請求項２】
請求項１に記載の薬剤の管理システムにおいて、
前記サーバ装置は、
前記検索された前記薬局に紐づけられた前記第１端末に前記処方箋情報が示す前記薬剤を発注する第１発注部を有する、
薬剤の管理システム。
【請求項３】
請求項１又は２に記載の薬剤の管理システムにおいて、
薬卸商に設けられた第２端末をさらに備え、
前記サーバ装置は、
前記検索部が、前記処方箋情報が示す前記薬剤の在庫がある他の前記薬局を検索できなかったとき、前記第２端末に前記処方箋情報が示す前記薬剤を発注する第２発注部を有する、
薬剤の管理システム。
【請求項４】
複数の薬局毎に紐付けられ、処方箋情報が入力される第１端末と通信可能なサーバ装置であって、
複数の前記薬局毎に薬剤の在庫情報を管理する管理部と、
前記処方箋情報が入力された前記第１端末に紐づけられた前記薬局に、前記処方箋情報が示す前記薬剤がない場合、他の前記薬局の前記在庫情報に基づいて、前記処方箋情報が示す前記薬剤の在庫がある他の前記薬局を検索する検索部と、を備えた
サーバ装置。
【発明の詳細な説明】
【技術分野】
【０００１】
本発明は、薬剤の管理システム及びサーバ装置、に関する。
【背景技術】
【０００２】
調剤薬局（薬局）は、処方箋を受け取ると、処方箋に記載された薬剤の在庫があれば、その薬剤を患者に渡す。調剤薬局は、処方箋に記載された薬剤の在庫がなければ、薬卸商から取り寄せた後に、患者に渡す。ところで、薬剤には、処方されることが滅多にない薬剤（以下、特殊薬剤）がある。このため、特殊薬剤が処方された患者のために特殊薬剤を薬卸商から取り寄せても、患者に渡して余った分の特殊薬剤は、使用期限が過ぎて廃棄されることが多い、という問題があった。
【先行技術文献】
【特許文献】
【０００３】
【特許文献１】特開２００４−２５２５３５号公報
【特許文献２】特開２００３−８５２８３号公報
【特許文献３】特開２００２−２９１７０６号公報
【特許文献４】特開２０１３−２３８９７１号公報
【特許文献５】特開２００２−２７９０６９号公報
【発明の概要】
【発明が解決しようとする課題】
【０００４】
本発明は、上述した事情に鑑みてなされたものであり、その目的は、薬剤の在庫廃棄を抑制することにある。
【課題を解決するための手段】
【０００５】
前述した目的を達成するために、本発明に係る薬剤の管理システム及びサーバ装置は、下記［１］〜［４］を特徴としている。
［１］
複数の薬局毎に紐付けられ、処方箋情報が入力される第１端末と、
前記第１端末と通信可能なサーバ装置と、を備えた
薬剤の管理システムであって、
前記サーバ装置は、
複数の前記薬局毎に薬剤の在庫情報を管理する管理部と、
前記処方箋情報が入力された前記第１端末に紐づけられた前記薬局に、前記処方箋情報が示す前記薬剤がない場合、他の前記薬局の前記在庫情報に基づいて、前記処方箋情報が示す前記薬剤の在庫がある他の前記薬局を検索する検索部と、を有する、
薬剤の管理システムであること。
［２］
［１］に記載の薬剤の管理システムにおいて、
前記サーバ装置は、
前記検索された前記薬局に紐づけられた前記第１端末に前記処方箋情報が示す前記薬剤を発注する第１発注部を有する、
薬剤の管理システムであること。
［３］
［１］又は［２］に記載の薬剤の管理システムにおいて、
薬卸商に設けられた第２端末をさらに備え、
前記サーバ装置は、
前記検索部が、前記処方箋情報が示す前記薬剤の在庫がある他の前記薬局を検索できなかったとき、前記第２端末に前記処方箋情報が示す前記薬剤を発注する第２発注部を有する、
薬剤の管理システムであること。
［４］
複数の薬局毎に紐付けられ、処方箋情報が入力される第１端末と通信可能なサーバ装置であって、
複数の前記薬局毎に薬剤の在庫情報を管理する管理部と、
前記処方箋情報が入力された前記第１端末に紐づけられた前記薬局に、前記処方箋情報が示す前記薬剤がない場合、他の前記薬局の前記在庫情報に基づいて、前記処方箋情報が示す前記薬剤の在庫がある他の前記薬局を検索する検索部と、を備えた
サーバ装置であること。
【０００６】
上記［１］及び［４］の構成の薬剤の管理システム及びサーバ装置によれば、検索部が、処方箋情報が入力された第１端末に対応する薬局に、処方箋情報が示す薬剤がない場合、他の薬局の在庫情報に基づいて、処方箋情報が示す薬剤の在庫がある他の薬局を検索する。これにより、検索された他の薬局に薬剤を発注すれば、薬剤の在庫廃棄を抑制することができる。
【０００７】
上記［２］の構成の薬剤の管理システムによれば、サーバ装置の第１発注部が、検索された他の薬局に薬剤を発注する。これにより、サーバ装置が自動的に薬剤の発注を行うことにより、薬剤の発注作業を容易にすることができる。
【０００８】
上記［３］の構成の薬剤の管理システムによれば、サーバ装置の第２発注部が、処方箋情報が示す薬剤の在庫がある他の薬局を検索できなかったとき、第２端末に処方箋情報が示す薬剤を発注する。これにより、サーバ装置が自動的に薬剤の発注を行うことにより、薬剤の発注作業を容易にすることができる。
【発明の効果】
【０００９】
本発明によれば、薬剤の在庫廃棄を抑制することができる薬剤の管理システムを提供することができる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本発明のサーバ装置を組み込んだ薬剤の管理システムの一実施形態を示す概要図である。
【図２】図２は、図１に示す薬局用端末、患者用端末の構成を示すブロック図である。
【図３】図３は、図１に示すサーバ装置の構成を示すブロック図である。
【図４】図４は、図１に示す薬剤の管理システムの動作を示すフローチャートである。
【発明を実施するための形態】
【００１２】
本発明に関する具体的な実施形態について、各図を参照しながら以下に説明する。
【００１３】
図１に示すように、本実施形態の薬剤の管理システム１０は、薬局用端末（第１端末）１１に紐づけられた調剤薬局（薬局）２０に電子処方箋に示された薬剤の在庫がなければ、在庫のある他の調剤薬局２０を検索して発注することができるシステムである。
【００１４】
上記薬剤の管理システム１０は、複数の調剤薬局２０にそれぞれ紐づけられた薬局用端末１１と、医療機関４０から処方箋をもらった患者３０が使用する患者用端末１２と、医療機関４０に紐づけられた医療機関用端末１３と、薬卸商５０に紐づけられた薬卸商用端末１４と、サーバ装置１５と、を備えている。これら薬局用端末１１、患者用端末１２、医療機関用端末１３及び薬卸商用端末１４と、サーバ装置１５と、はインターネット通信網７０を介して通信可能に設けられている。
【００１５】
薬局用端末１１、患者用端末１２、医療機関用端末１３、薬卸商用端末１４は各々、プログラムに従って動作するコンピュータを内蔵したＰＣ、タブレット、スマートフォンなどから構成されている。図１に示す例では、薬局用端末１１、医療機関用端末１３、薬卸商用端末１４は、ＰＣから構成され、患者用端末１２は、スマートフォンやタブレットから構成されている。
【００１６】
薬局用端末１１は、複数の調剤薬局２０毎に紐付けられ、調剤薬局２０のＩＤが紐づけられている。図１に示す例では、１つの調剤薬局２０に１つの薬局用端末１１が紐づけられているが、１つの調剤薬局２０に複数台の薬局用端末１１が紐づけられていてもよい。上述した複数の調剤薬局２０は、例えば同じ企業のチェーン店やフランチャイズ店から構成されている。また、複数の調剤薬局２０は、経営者がそれぞれ異なる門前薬局などの薬局であっても、薬剤の交換の契約を交わした薬局から構成されていてもよい。
【００１７】
薬局用端末１１、患者用端末１２は各々、図２に示すように、通信部１０１と、音声入力部１０２と、音声出力部１０３と、カメラ１０４と、表示部１０５と、操作部１０６と、制御部１０７と、を有している。
【００１８】
通信部１０１は、インターネット通信網７０に接続するための回路やアンテナ等から構成されている。音声入力部１０２は、マイクなどから構成され、薬剤師６０、患者３０の音声を入力することができる。音声出力部１０３は、スピーカなどから構成され、薬剤師６０、患者３０の音声を出力することができる。カメラ１０４は、周辺を撮像することができ、薬剤師６０、患者３０を撮影することができる。
【００１９】
表示部１０５は、液晶ディスプレイなどから構成され、各種情報を表示することができる。操作部１０６は、キーボード、マウス、バーコードリーダ（ＰＣの場合）や、表示部１０５に設けたタッチパネル（タブレット、スマートフォンの場合）などから構成され、薬剤師６０など調剤薬局２０に勤務する人、患者３０の入力操作が行われる。
【００２０】
制御部１０７は、例えばＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリを備えたＣＰＵ（Ｃｅｎｔｒａｌ  Ｐｒｏｃｅｓｓｉｎｇ  Ｕｎｉｔ）で構成され、端末全体の制御を司る。上述した薬局用端末１１及び患者用端末１２を通じて薬剤師６０及び患者３０が対面することにより、薬剤師６０が患者３０に対して服薬指導をすることができる。
【００２１】
また、上述した薬局用端末１１は、操作部１０６を操作して、薬剤の入荷情報、出荷情報、棚卸情報などを入力することにより、薬剤の在庫情報を管理し、在庫情報をリアルタイムにサーバ装置１５に送信する。なお、上記入荷情報とは、調剤薬局２０へ入荷された薬剤の種類、個数や量などを示す情報である。出荷情報とは、調剤薬局２０から患者３０や他の調剤薬局２０などに出荷された薬剤の種類、個数や量などの情報である。棚卸情報とは、棚卸時における薬剤の在庫情報である。
【００２２】
医療機関用端末１３は、医療機関４０に紐付けられ、患者３０に出された電子処方箋（処方箋情報）をサーバ装置１５に送信する。医療機関４０は、患者３０に対して電子処方箋の写し（紙）を渡す。
【００２３】
サーバ装置１５は、薬剤の管理システム１０を提供する会社が所有し、図３に示すように、通信部１５１と、ＤＢ１５２と、制御部１５３と、を有している。通信部１５１は、インターネット通信網７０に接続するための回路などで構成されている。ＤＢ１５２は、調剤薬局２０毎の在庫情報（薬剤の種類、数など）などが記録されている。制御部１５３は、例えばＲＡＭ、ＲＯＭなどのメモリを備えたＣＰＵで構成され、サーバ装置１５全体の制御を司る。
【００２４】
次に、上述した構成の薬剤の管理システム１０の動作を、図４を参照して説明する。調剤薬局２０、患者３０、医療機関４０、薬卸商５０は、各端末１１〜１４に管理システム１０用のアプリをインストールし、インストールされたアプリを使って登録情報を入力し、登録情報をサーバ装置１５に送信する。また、複数の調剤薬局２０に紐づけられた薬局用端末１１は、操作部１０６から入力される入荷情報、出荷情報、棚卸情報などに基づいて、薬剤の在庫情報を求めて、自身の調剤薬局２０の在庫情報として管理している。また、薬局用端末１１は、この調剤薬の在庫情報をリアルタイムにサーバ装置１５に送信する（Ｓ１）。サーバ装置１５の制御部１５３（以下単に「サーバ装置１５」と略記する）は、これら在庫情報を受信すると（Ｓ２）、ＤＢ１５２に格納する。これにより、サーバ装置１５は、複数の調剤薬局２０毎に在庫情報を管理することができる。
【００２５】
医療機関４０の医師は、患者３０を診察し、必要に応じて処方箋を作成する。診察は、患者３０が実際に医療機関４０に出向いて行ってもよいし、オンラインで行ってもよい。処方箋には、患者３０の氏名、生年月日、性別、保険者番号、処方箋番号（処方箋の識別情報）、医療機関名、処方した医師の名前、医師が処方した調剤薬の種類、量、服用法などが記載されている。
【００２６】
診察後、医療機関４０は、医師が作成した処方箋の写し又は上記処方箋に記載された処方箋番号を患者３０に渡す。本実施形態では、患者３０が医療機関４０に出向いたものとし、医療機関４０が、処方箋の写し（紙）８０を作成し、作成した処方箋の写し（紙）８０を患者３０に受領させる場合について説明する。処方箋の写し（紙）８０を患者３０に手渡しすることに限定されるものではなく、医療機関４０が、患者用端末１２に対して処方箋の写し又は処方箋番号を送信（インターネット通信網７０経由でも直接通信でもよい）するようにしてもよい。
【００２７】
また、医療機関４０は、医療機関用端末１３を操作して、電子処方箋（原本）と、患者３０が希望する調剤薬局２０と、をサーバ装置１５に送信する。サーバ装置１５は、電子処方箋（原本）を受信すると、電子処方箋に記載された患者３０の氏名、生年月日、保険者番号などからその患者３０の登録情報をＤＢ１５２から読み出し、電子処方箋と読み出した患者の登録情報とを紐づける。その後、サーバ装置１５は、患者３０が希望する調剤薬局２０に対応する薬局用端末１１に電子処方箋を送信する（Ｓ３）。
【００２８】
薬局用端末１１は、サーバ装置１５から電子処方箋を受信（入力）すると（Ｓ４）、自身の調剤薬局２０の在庫情報に基づいて電子処方箋が示す調剤薬の在庫があるか否かを判定する（Ｓ５）。電子処方箋に複数種類の薬剤が示されている場合、薬局用端末１１は、薬剤の種類毎に在庫があるか否かを判定する。薬局用端末１１は、電子処方箋に示された全種類の薬剤の在庫があれば（Ｓ６でＹ）、電子処方箋や在庫がある旨を表示部１０５などに表示して、その旨を薬剤師６０に伝える。薬剤師６０は、受信した電子処方箋に従って薬剤を用意する。薬剤師６０は、薬剤を用意して服役指導できる準備が整ったら、薬局用端末１１を操作して、オンライン服薬指導モードにする（Ｓ７）。オンライン服薬指導モードでは、薬局用端末１１及び患者用端末１２を介して薬剤師６０が患者３０に対して対面で服薬指導を行うことができる。
【００２９】
これに対して、薬局用端末１１は、電子処方箋に示された全種類の薬剤の在庫がなければ（Ｓ６でＮ）、在庫がない薬剤について他の調剤薬局２０に在庫があるか確認する在庫確認依頼をサーバ装置１５に送信する（Ｓ８）。在庫確認依頼には、電子処方箋、在庫のない薬剤の種類、送信した薬局用端末１１のＩＤが含まれる。サーバ装置１５は、在庫確認依頼を受信すると（Ｓ９）、在庫確認依頼を送信した（即ち電子処方箋を受信した）薬局用端末１１に対応しない他の調剤薬局２０の在庫情報をＤＢ１５２から読み取る。その後、サーバ装置１５は、検索部として機能し、ＤＢ１５２から読み取った在庫情報に基づいて、在庫のない薬剤の在庫がある他の調剤薬局２０を検索する（Ｓ１０）。
【００３０】
サーバ装置１５は、他の調剤薬局２０に在庫があると（Ｓ１１でＹ）、第１発注部として機能し、Ｓ１０で検索された他の調剤薬局２０に対応する薬局用端末１１に在庫がない薬剤を発注する発注依頼を送信する（Ｓ１２）。発注依頼には、薬剤の種類、個数や量、発送先などの情報が含められる。なお、上記薬剤の個数や量は、電子処方箋に記載され個数や量と同じである。発送先としては、電子処方箋が出された患者３０であってもよいし、電子処方箋を受信した調剤薬局２０でもよい。薬局用端末１１は、発注依頼を受信すると（Ｓ１３）、配送伝票を作るなどの配送処理を行う（Ｓ１４）。
【００３１】
これに対して、サーバ装置１５は、他の調剤薬局２０に在庫がなければ（Ｓ１１でＮ）、第２発注部として機能し、薬卸商用端末１４に在庫のない薬剤を発注する発注依頼を送信する（Ｓ１５）。発注依頼には、薬剤の種類、個数や量、発送先などの情報が含められる。なお、上記薬剤の個数や量は、サーバ装置１５や薬剤の種類によって決定する。例えば、サーバ装置１５は、薬剤の種類が特殊薬剤など滅多に処方されない薬剤の場合、薬卸商５０に発注できる最小個数や最小量に決定する。また、サーバ装置１５は、よく処方される薬剤の場合、調剤薬局２０の在庫情報の履歴に基づいて個数や量を決定する。また、発送先としては、電子処方箋を受信した調剤薬局２０となる。薬卸商用端末１４は、発注依頼を受信すると（Ｓ１６）、発送伝票を作るなどの発送処理を行う（Ｓ１７）。
【００３２】
また、サーバ装置１５は、発注依頼を送信すると（Ｓ１２、Ｓ１５）、発注依頼の内容を示す発注情報を、電子処方箋を受信した薬局用端末１１に送信する（Ｓ１８）。サーバ装置１５は、発送情報を受信すると（Ｓ１９）、オンライン服薬指導モードとなる（Ｓ７）。オンライン服薬モードが終了すると、薬局用端末１１は、自身の調剤薬局２０に薬剤の在庫があった場合、その薬剤について配送伝票を作るなどの配送処理を行う（Ｓ２０）。
【００３３】
上述した実施形態によれば、サーバ装置１５が、電子処方箋を受信した薬局用端末１１に対応する調剤薬局２０に、電子処方箋が示す薬剤がない場合、電子処方箋を受信した薬局用端末１１に対応しない他の調剤薬局２０の在庫情報に基づいて、電子処方箋が示す薬剤の在庫がある他の調剤薬局２０を検索する。これにより、検索された他の調剤薬局２０に薬剤を発注すれば、他の調剤薬局２０で余っている薬剤を患者３０に渡すことができ、薬剤の在庫廃棄を抑制することができる。特に、在庫廃棄が多い特殊薬剤の在庫廃棄を抑制することができる。
【００３４】
上述した実施形態によれば、サーバ装置１５が、検索された他の調剤薬局２０に薬剤を発注する。これにより、サーバ装置１５が自動的に発注を行うことにより、薬剤の発注作業を容易にすることができる。
【００３５】
上述した実施形態によれば、サーバ装置１５が、電子処方箋が示す薬剤の在庫がある他の調剤薬局２０を検索できなかったとき、薬卸商用端末１４に電子処方箋が示す薬剤を発注する。これにより、サーバ装置１５が自動的に発注を行うことにより、薬剤の発注作業を容易にすることができる。
【００３６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３７】
なお、上述した実施形態によれば、サーバ装置１５が、電子処方箋が示す薬剤の在庫がある他の調剤薬局２０に自動的に発注を行っていたいが、これに限ったものではない。サーバ装置１５は、薬剤の在庫がある他の調剤薬局２０を検索するだけでもよい。この検索結果を薬局用端末１１に送信して、調剤薬局２０に勤務する人が電話、ＦＡＸ、メールなどで検索された他の調剤薬局２０に発注を行うようにしてもよい。
【００３８】
また、上述した実施形態によれば、サーバ装置１５が、電子処方箋の示す薬剤の在庫がある他の調剤薬局２０が検索できなかった場合、自動的に薬卸商５０に自動的に発注を行っていたが、これに限ったものではない。サーバ装置１５は、薬剤の在庫がある他の調剤薬局が検索できなかった場合、その旨を薬局用端末１１に送信して、調剤薬局２０に勤務する人が電話、ＦＡＸ、メールなどで薬卸商５０に発注を行うようにしてもよい。
【００３９】
上述した実施形態によれば、薬局用端末１１が、操作部１０６から入力された入荷情報、出荷情報、棚卸情報などに基づいて、薬剤の在庫情報を求めていたが、これに限ったものではない。薬局用端末１１が、操作部１０６から入力された入荷情報、出荷情報、棚卸情報をサーバ装置１５に送信し、サーバ装置１５が受信した入荷情報、出荷情報、棚卸情報に基づいて、薬剤の在庫情報を求めて管理するようにしてもよい。
【００４０】
また、上述した実施形態によれば、薬局用端末１１及び患者用端末１２を介して、オンライン服薬指導を行えるようにしていたが、これに限ったものではない。患者３０が調剤薬局２０に出向いて、服薬指導をしてもらってもよい。
【００４１】
また、上述した実施形態によれば、医療機関４０からインターネット通信網７０経由で薬局用端末１１に電子処方箋を送信していたが、これに限ったものではない。薬局用端末１１に、処方箋情報が入力されればよく、インターネット通信網７０経由でなくてもよい。例えば、患者３０が処方箋（紙）をもって調剤薬局２０に出向いた場合は、処方箋（紙）をスキャナで読み取って薬局用端末１１に入力するようにしてもよい。
【００４２】
ここで、上述した本発明に係る薬剤の管理システム及びサーバ装置の実施形態の特徴をそれぞれ以下［１］〜［４］に簡潔に纏めて列記する。
［１］
複数の薬局（２０）毎に紐付けられ、処方箋情報が入力される第１端末（１１）と、
前記第１端末（１１）と通信可能なサーバ装置（１５）と、を備えた
薬剤の管理システム（１０）であって、
前記サーバ装置（１５）は、
複数の前記薬局（２０）毎に薬剤の在庫情報を管理する管理部（１５３）と、
前記処方箋情報が入力された前記第１端末（１１）に紐づけられた前記薬局（２０）に、前記処方箋情報が示す前記薬剤がない場合、他の前記薬局（２０）の前記在庫情報に基づいて、前記処方箋情報が示す前記薬剤の在庫がある他の前記薬局（２０）を検索する検索部（１５３）と、を有する、
薬剤の管理システム（１０）。
［２］
［１］に記載の薬剤の管理システム（１０）において、
前記サーバ装置（１５）は、
前記検索された前記薬局（２０）に紐づけられた前記第１端末（１１）に前記処方箋情報が示す前記薬剤を発注する第１発注部（１５３）を有する、
薬剤の管理システム（１０）。
［３］
［１］又は［２］に記載の薬剤の管理システム（１０）において、
薬卸商（５０）に設けられた第２端末（１４）をさらに備え、
前記サーバ装置（１５）は、
前記検索部（１５３）が、前記処方箋情報が示す前記薬剤の在庫がある他の前記薬局（２０）を検索できなかったとき、前記第２端末（１４）に前記処方箋情報が示す前記薬剤を発注する第２発注部（１５３）を有する、
薬剤の管理システム（１０）。
［４］
複数の薬局（２０）毎に紐付けられ、処方箋情報が入力される第１端末（１１）と通信可能なサーバ装置（１５）であって、
複数の前記薬局（２０）毎に薬剤の在庫情報を管理する管理部（１５３）と、
前記処方箋情報が入力された前記第１端末（１１）に紐づけられた前記薬局（２０）に、前記処方箋情報が示す前記薬剤がない場合、他の前記薬局（２０）の前記在庫情報に基づいて、前記処方箋情報が示す前記薬剤の在庫がある他の前記薬局（２０）を検索する検索部（１５３）と、を備えた
サーバ装置（１５）。
【符号の説明】
【００４３】
１０  薬剤の管理システム
１１  薬局用端末（第１端末）
１４  薬卸商用端末（第２端末）
１５  サーバ装置
２０  調剤薬局（薬局）
５０  薬卸商
１５３  制御部（管理部、検索部、第１発注部、第２発注部）
【図１】
2022002048.tif 000003
【図２】
2022002048.tif 000004
【図３】
2022002048.tif 000005
【図４】
2022002048.tif 000006